(57)【要約】【課題】個人のエネルギー消費量を計測できるエネルギー消費計測システムを提供する。【解決手段】ＨＥＭＳ４０は、電流センサ３２Ａ〜３２Ｅの検知結果に基づく消費電力量、ガスメータ７８の検知結果に基づくガス消費量及び水道メータ７６の検知結果に基づく水の使用量を含むエネルギー消費量を、認証器８８Ａ〜８８Ｃが取得したＩＣタグ８６Ａ〜８６Ｃの識別情報と対応付けて記憶すると共に、識別情報に対応付けて記憶したエネルギー消費量を表示する。【選択図】図１
2015018334.tif 000002
【特許請求の範囲】
【請求項１】
建物の設備機器による電力、ガス又は水の消費量を検知する検知手段と、
ユーザを特定するユーザ情報を取得すると共に該ユーザによる前記設備機器の使用開始時及び使用終了時を検知可能なユーザ情報取得手段と、
前記検知手段が検知した前記消費量を記憶する記憶手段と、
前記消費量を表示可能な表示手段と、
前記消費量を前記ユーザ情報、前記使用開始時及び前記使用終了時の各々と対応付けて前記記憶手段に記憶させると共に、前記ユーザ情報、前記使用開始時及び前記使用終了時の各々と対応付けて前記記憶手段に記憶させた前記消費量を前記ユーザによるエネルギー消費量として前記表示手段に表示させる制御手段と、
を備えたエネルギー消費計測システム。
【請求項２】
前記ユーザ情報取得手段は、前記建物の複数の所定の領域に各々設けられた請求項１に記載のエネルギー消費計測システム。
【請求項３】
前記ユーザ情報取得手段は、前記ユーザ情報を記録したＩＣタグとの近距離無線通信により前記ユーザ情報を取得すると共に前記使用開始時を検知し、前記使用開始時の検知後の前記ＩＣタグとの再度の近距離無線通信により前記使用終了時を検知する請求項１又は２記載のエネルギー消費計測システム。
【請求項４】
前記ユーザ情報取得手段は複数のスイッチを有し、該複数のスイッチのいずれかがオン操作された場合に該オン操作されたスイッチに対応付けられたユーザのユーザ情報を取得すると共に前記使用開始時を検知し、該オン操作されたスイッチがオフ操作された場合に前記使用終了時を検知する請求項１又は２に記載のエネルギー消費計測システム。
【請求項５】
前記ユーザ情報取得手段と前記表示手段とが一体に設けられた請求項１〜４のいずれか１項に記載のエネルギー消費計測システム。
【発明の詳細な説明】
【技術分野】
【０００１】
本発明は、各個人のエネルギー消費量を管理するエネルギー消費計測システムに関する。
【背景技術】
【０００２】
人のエネルギー消費量を計測するシステムがある。特許文献１では、人感認証器の検知結果に基づいて人の行動パターンを推定すると共に、消費電力量が所定の閾値を超える場合には、推定した行動パターンよりも消費電力量が低くなる行動パターンを報知する省エネルギー診断システムが開示されている。
【先行技術文献】
【特許文献】
【０００３】
【特許文献１】特開２０１１−２１００９７号公報
【発明の概要】
【発明が解決しようとする課題】
【０００４】
しかしながら、特許文献１に記載の技術は、部屋等の所定の領域における人の行動パターンを推定すると共にその行動パターンにおける消費電力量を計測することはできるが、個人の消費電力量を計測できないという問題点があった。
【０００５】
本発明は、上記事実を考慮して成されたもので、個人のエネルギー消費量を計測できるエネルギー消費計測システムを提供することを目的とする。
【課題を解決するための手段】
【０００６】
上記課題を解決するための請求項１の発明は、建物の設備機器による電力、ガス又は水の消費量を検知する検知手段と、ユーザを特定するユーザ情報を取得すると共に該ユーザによる前記設備機器の使用開始時及び使用終了時を検知可能なユーザ情報取得手段と、前記検知手段が検知した前記消費量を記憶する記憶手段と、前記消費量を表示可能な表示手段と、前記消費量を前記ユーザ情報、前記使用開始時及び前記使用終了時の各々と対応付けて前記記憶手段に記憶させると共に、前記ユーザ情報、前記使用開始時及び前記使用終了時の各々と対応付けて前記記憶手段に記憶させた前記消費量を前記ユーザによるエネルギー消費量として前記表示手段に表示させる制御手段と、を備えている。
【０００７】
請求項１に記載の発明によれば、電力、ガス又は水の消費量をユーザ情報、使用開始時及び使用終了時の各々と対応付けて記憶し、記憶した消費量をユーザによるエネルギー消費量として表示できる。
【０００８】
請求項２の発明は、請求項１に記載の発明において、前記ユーザ情報取得手段は、前記建物の複数の所定の領域に各々設けられている。
【０００９】
請求項２に記載の発明によれば、複数の所定の領域の各々にユーザ情報を取得するユーザ情報取得手段を設置することにより、各所定の領域での電力、ガス又は水の消費量をユーザ情報、使用開始時及び使用終了時の各々と対応付けて記憶できる。
【００１０】
請求項３の発明は、請求項１又は２記載の発明において、前記ユーザ情報取得手段は、前記ユーザ情報を記録したＩＣタグとの近距離無線通信により前記ユーザ情報を取得すると共に前記使用開始時を検知し、前記使用開始時の検知後の前記ＩＣタグとの再度の近距離無線通信により前記使用終了時を検知する。
【００１１】
請求項３に記載の発明によれば、近距離無線通信によりユーザ情報を取得すると共に使用開始時及び使用終了時を検知できる。
【００１２】
請求項４の発明は、請求項１又は２に記載の発明において、前記ユーザ情報取得手段は複数のスイッチを有し、該複数のスイッチのいずれかがオン操作された場合に該オン操作されたスイッチに対応付けられたユーザのユーザ情報を取得すると共に前記使用開始時を検知し、該オン操作されたスイッチがオフ操作された場合に前記使用終了時を検知する。
【００１３】
請求項４に記載の発明によれば、スイッチ操作によりユーザ情報を取得すると共に使用開始時及び使用終了時を検知できる。
【００１４】
請求項５の発明は、請求項１〜４のいずれか１項に記載の発明において、前記ユーザ情報取得手段と前記表示手段とが一体に設けられている。
【００１５】
請求項５に記載の発明によれば、ユーザの認証をした後に認証したユーザのエネルギー消費量を表示できる。
【発明の効果】
【００１６】
以上説明したように、請求項１に記載の発明は、電力、ガス又は水の消費量をユーザ情報、使用開始時及び使用終了時の各々と対応付けて記憶し、記憶した消費量をユーザによるエネルギー消費量として表示する。これにより、個人のエネルギー消費量を計測できるという効果を有する。
【００１７】
請求項２に記載の発明によれば、複数の所定の領域の各々にユーザ情報を取得するユーザ情報取得手段を設置することにより、各所定の領域での電力、ガス又は水の消費量をユーザ情報、使用開始時及び使用終了時の各々と対応付けて記憶する。これにより、個人のエネルギー消費量を計測できるという効果を有する。
【００１８】
請求項３に記載の発明によれば近距離無線通信によりユーザ情報を取得すると共に使用開始時及び使用終了時を検知することにより、個人のエネルギー消費量を計測できるという効果を有する。
【００１９】
請求項４に記載の発明によれば、スイッチ操作によりユーザ情報を取得すると共に使用開始時及び使用終了時を検知することにより、個人のエネルギー消費量を計測できるという効果を有する。
【００２０】
請求項５に記載の発明によれば、認証したユーザのエネルギー消費量を表示することにより、個人のエネルギー消費量を計測できるという効果を有する。
【図面の簡単な説明】
【００２１】
【図１】本発明の実施の形態に係るエネルギー消費計測システムの一例を示す概略図である。
【図２】本発明の実施の形態に係るエネルギー消費計測システムにおけるＨＥＭＳの概略構成を示すブロック図である。
【図３】本発明の実施の形態に係るエネルギー消費計測システムにおける個人のエネルギー消費量を記憶する処理の一例を示すフローチャートである。
【図４】本発明の実施の形態に係るエネルギー消費計測システムにおけるエネルギー消費量の算出及び表示の処理の一例を示すフローチャートである。
【図５】本発明の実施の形態に係るエネルギー消費計測システムの変形例の一例を示す概略図である。
【図６】本発明の実施の形態に係るエネルギー消費計測システムの変形例の一例を示す概略図である。
【発明を実施するための形態】
【００２２】
以下、図面を参照して本発明の実施の形態の一例を詳細に説明する。図１は、本実施の形態に係るエネルギー消費計測システム１０の一例を示す概略図である。
【００２３】
図１に示したように、本実施の形態では、系統電力２２からの電力が、主幹ブレーカー１００を介して住宅２０等の建物の分電盤２４に供給されている。また、主幹ブレーカー１００の分電盤側には、系統電力２２から供給される電力の電流値を検知する主幹ブレーカー電流センサ１２０が設けられている。
【００２４】
系統電力２２から分電盤２４に供給された電力は、分岐回路３０Ａ〜３０Ｅを介して設備機器に供給される。分岐回路３０Ａにはテレビ６２が、分岐回路３０Ｂにはエアコン６４が、分岐回路３０Ｃには炊飯器６６が、分岐回路３０ＤにはＩＨヒーター６８が、分岐回路３０Ｅには洗濯機７０が各々接続されている。
【００２５】
分岐回路３０Ａ〜３０Ｅには分岐回路３０Ａ〜３０Ｅの電流値を計測する電流センサ３２Ａ〜３２Ｅが各々設けられている。電流センサ３２Ａ〜３２Ｅからの情報線は、ＨＥＭＳ４０が分電盤２４を制御するための情報線と共にＨＥＭＳ４０に接続されている。なお、図１において破線は計測データ又は制御情報が流れる情報線であるとする。
【００２６】
分電盤２４の分岐回路３０Ａ〜３０Ｅには、分岐回路３０Ａ〜３０Ｅをオン状態又はオフ状態に切り替えるための分岐ブレーカー３４Ａ〜３４Ｅが各々設けられ、分岐ブレーカー３４Ａ〜３４Ｅは、ＨＥＭＳ４０によって制御される。
【００２７】
なお、図１では、記載の簡略化のために分岐回路は５系統のみ記載しているが、本実施の形態では５系統以上でも５系統以下でもよく、分岐回路の本数に特段の限定はない。
【００２８】
また、本実施の形態では、浴槽７４に給湯する設備機器である給湯器７２を備え、給湯器７２にガスを供給する配管にはガスの消費量を検知するガスメータ７８が、給湯器７２に接続する水道管には水の使用量を検知する水道メータ７６が各々設けられている。給湯器７２はＨＥＭＳ４０によって制御され、ガスメータ７８及び水道メータ７６の検知結果はＨＥＭＳ４０に送信される。
【００２９】
また、本実施の形態では、住宅２０の居住者であるユーザは、ドア等の施錠及び解錠が可能であると共にユーザに固有の識別情報を記録したＩＣタグ８６Ａ、８６Ｂ、８６Ｃを各々所有している。ＩＣタグ８６Ａ〜８６Ｃは、一例としてカード型のキーであり、記録した識別情報を送信可能に構成されている。また、ＩＣタグ８６Ａ〜８６Ｃは、前述の識別情報を送信可能に構成したスマートホン等の携帯情報端末であってもよい。
【００３０】
また、テレビ６２及びエアコン６４を備えた所定の領域であるリビング８０には認証器８８Ａが、炊飯器６６及びＩＨヒーター６８を備えた所定の領域であるキッチン８２には認証器８８Ｂが備えられている。さらに、洗濯機７０を備えた所定の領域である洗面所８４には認証器８８Ｃが設けられている。認証器８８Ａ〜８８Ｃは、ＩＣタグ８６Ａ〜８６Ｃとの近距離無線通信（ＮＦＣ：Near Field Communication）によりＩＣタグ８６Ａ〜８６Ｃの識別情報を取得し、取得した識別情報をＨＥＭＳ４０に送信する。ＨＥＭＳ４０は、認証器８８Ａ〜８８Ｃからの識別情報に基づいて、ユーザを識別する。なお、認証器８８Ａ〜８８ＣとＩＣタグ８６Ａ〜８６Ｃとの通信は、認証器８８Ａ〜８８Ｃから発信される電磁波でＩＣタグ８６Ａ〜８６Ｃに電力がチャージされ、識別情報の送信が可能になるパッシブ型である。
【００３１】
図２は、本実施の形態に係るエネルギー消費計測システム１０におけるＨＥＭＳ４０の概略構成を示すブロック図である。ＨＥＭＳ４０は、ＣＰＵ（Central Processing Unit）４２と、ＨＤＤ（Hard Disk Drive）４４と、ＲＡＭ（Random Access Memory）４６と、ネットワークＩ／Ｆ部４８と、ＲＯＭ（Read Only Memory）５０と、表示部５２と、操作入力部５４と、バス５６とを含む。
【００３２】
ＣＰＵ４２は、ＨＥＭＳ４０の全体の動作を司るものであり、後述する個人のエネルギー消費量の算出は、ＣＰＵ４２により実行される。ＨＤＤ４４は、後述する個人のエネルギー消費量の算出に係るプログラム及びＯＳ（Operating System）などが記録される不揮発性の記憶装置である。ＲＡＭ４６は、ＯＳ、プログラム又はデータが展開される揮発性の記憶装置である。ネットワークＩ／Ｆ部４８は、ネットワークに接続するためのものであり、ＮＩＣ（Network Interface Card）やそのドライバで構成される。ＲＯＭ５０は、ＨＥＭＳ４０の起動時に動作するブートプログラムなどが記憶されている不揮発性の記憶装置である。表示部５２は、ＨＥＭＳ４０に関する情報及びエネルギー消費量を操作者に表示するものである。操作入力部５４は、操作者がＨＥＭＳ４０の操作や情報を入力する際に用いられるものであり、一例としてタッチパネル等の入力装置が含まれる。バス５６は、情報のやりとりが行われる際に使用される。
【００３３】
図３は、本発明の実施の形態に係るエネルギー消費計測システム１０における個人のエネルギー消費量を記憶する処理の一例を示すフローチャートである。ステップ３００では、ＩＣタグからの識別情報に基づいてユーザを特定する。ユーザの特定は、ユーザがＩＣタグを認証器に近づける等により、認証器がＩＣタグに記録されている認証情報を読み取ることによって行う。また、本実施の形態では、ステップ３００でユーザの識別情報に基づいてユーザが特定された時を、当該ユーザが設備機器の使用を開始した使用開始時とする。
【００３４】
ステップ３０２では、認証器が設置されている所定の領域における消費電力量、ガスの使用量又は水道の使用量をステップ３００で特定したユーザの識別情報に対応付けてＨＤＤ４４に記憶する。例えば、リビング８０に設置されている認証器８８ＡがＩＣタグ８６Ａの認証情報を読み取った場合、ＨＥＭＳ４０は、リビング８０に設置されているテレビ６２又はエアコン６４の使用による消費電力量をＩＣタグ８６Ａのユーザ及び年月日時に対応付けて記憶する。
【００３５】
エネルギー消費量は、電流センサ３２Ａ〜３２Ｅ、水道メータ７６又はガスメータ７８の検知結果に基づいて算出される。例えば、ユーザがリビング８０に居て、認証器８８Ａで認証し、テレビ６２又はエアコン６４を使用した場合には、電流センサ３２Ａ、３２Ｂが検知した電流値に電圧値である１００を乗算してリビング８０での消費電力量が算出される。一般に、分電盤２４から供給される電力の電圧は１００Ｖであるが、機器の使用等によって電圧の変動が考えられる場合には、別途、電圧を計測する手段を分岐回路３０Ａ〜３０Ｅに設けてもよい。かかる場合には、電圧を計測する手段が検知した電圧値を電流センサ３２Ａ〜３２Ｅが検知した電流値に乗算して消費電力量を算出する。
【００３６】
ステップ３０４では、ユーザがオフ操作をしたか否かが判定され、肯定判定の場合には処理を終了し、否定判定の場合には、手順をステップ３０２に戻してエネルギー消費量の記憶を継続する。オフ操作は、一例として、ステップ３００で特定されたユーザがＩＣタグの認証情報を認証器に再び読み取らせた場合、すなわち、ステップ３００で特定したユーザの認証情報を再び認証器が読み取った場合に、ユーザが所定の領域におけるエネルギー消費を終了したと判定する。
【００３７】
又は、認証器にディスプレイとタッチパネルとを設け、ステップ３００で特定されたユーザが再びＩＣタグを認証器に近づけて認証情報を認証器に読み取らせた場合には、「オフ操作を実行しますか？」等のメッセージをディスプレイに表示させてもよい。さらに、ユーザがディスプレイの表示に応えて、タッチパネルを介してオフ操作を実行することを入力した場合に、ＨＥＭＳ４０は所定の領域においてユーザがオフ操作をしたと判定する。なお、認証器にディスプレイを設けた場合には、当該ディスプレイにエネルギー消費量を表示してもよい。
【００３８】
また、本実施の形態では、上記のオフ操作がされた時をユーザが設備機器の使用を終了した使用終了時とする。
【００３９】
図４は、本実施の形態に係るエネルギー消費計測システム１０におけるエネルギー消費量の算出及び表示の処理の一例を示すフローチャートである。ステップ４００では、ＨＥＭＳ４０の操作入力部５４にエネルギー消費量を表示するユーザと表示する期間とが指定されたか否かが判定され、肯定判定の場合には、ステップ４０２で指定されたユーザ及び指定された期間でのエネルギー消費量を算出する。
【００４０】
エネルギー消費量の算出は、指定されたユーザについて指定された期間におけるエネルギー消費量の累積である。また、リビング８０等の所定の領域に他のユーザが居たことが記録されている場合には、他のユーザが存在した期間において、他のユーザを含めたユーザの数でその所定の領域でのエネルギー消費量を除算して指定されたユーザのエネルギー消費量を算出する。
【００４１】
ステップ４０４では、算出したエネルギー消費量の履歴をＨＥＭＳ４０の表示部５２に表示して処理を終了する。また、ステップ４００で否定判定の場合も、処理を終了する。ステップ４００では、所定の時間以内にユーザ及び期間の指定がない場合に否定判定をする。
【００４２】
なお、本実施の形態では、原則として１人のユーザを指定し、指定したユーザのエネルギー消費量を表示する。しかしながら、他のユーザを含めた複数のユーザを指定可能で、指定した複数のユーザのエネルギー消費量を対比可能に表示してもよい。
【００４３】
また、ステップ４００で、リビング８０、キッチン８２又は洗面所８４等の所定の領域も指摘できるようにすることで、ステップ４０４で指定した領域別にエネルギー消費量を表示して、エネルギー消費量が多い領域を特定できるようにしてもよい。また、ＨＤＤ４４に電気料金、ガス料金及び水道料金の単価を記憶しておき、これらの単価を電力、ガス又は水道の消費量に乗算してエネルギー消費コストを算出し、表示部５２に表示してもよい。
【００４４】
以上説明したように、本実施の形態によれば、ＩＣタグの認証情報に基づいて個人を特定し、特定した個人によるエネルギー消費量を記憶することにより、個人におけるエネルギー消費量を計測できる。
【００４５】
図５は、本実施の形態に係るエネルギー消費計測システム１０の変形例の一例を示す概略図である。図５では図１のように認証器８８Ａ〜８８Ｃは備えず、ＩＣタグ８６Ａの読み取りはＨＥＭＳ４０で行う。図１のように複数の認証器を要しないので、システムの構成が簡素になり、システム構築のコストが低減できる。
【００４６】
図６は、本実施の形態に係るエネルギー消費計測システム１０の変形例の一例を示す概略図である。図６では図１のように認証器８８Ａ〜８８Ｃは備えず、代わりに多点スイッチ９０Ａ、９０Ｂ、９０Ｃを備える。多点スイッチ９０Ａ〜９０Ｃは、複数のユーザの各々を識別するためのスイッチで、例えばボタン式であれば、複数のユーザの各々に対応したボタンが設けられている。ユーザは自身に対応しているボタンを押すオン操作により、ＨＥＭＳ４０にユーザを認識させると共にオン操作された時を設備機器の使用開始時とする。また、オン操作されたスイッチがオフ操作された時を使用終了時とする。
【符号の説明】
【００４７】
１０  エネルギー消費計測システム
２０  住宅
２２  系統電力
２４  分電盤
３０Ａ、３０Ｂ、３０Ｃ、３０Ｄ、３０Ｅ  分岐回路
３２Ａ、３２Ｂ、３２Ｃ、３２Ｄ、３２Ｅ  電流センサ
４２  ＣＰＵ
４４  ＨＤＤ
４６  ＲＡＭ
４８  ネットワークＩ／Ｆ部
５０  ＲＯＭ
５２  表示部
５４  操作入力部
５６  バス
６２  テレビ
６４  エアコン
６６  炊飯器
６８  ＩＨヒーター
７０  洗濯機
７２  給湯器
７６  水道メータ
７８  ガスメータ
８０  リビング
８２  キッチン
８４  洗面所
８６Ａ、８６Ｂ、８６Ｃ  ＩＣタグ
８８Ａ、８８Ｂ、８８Ｃ  認証器
９０Ａ、９０Ｂ、９０Ｃ  多点スイッチ
【図１】
2015018334.tif 000003
【図２】
2015018334.tif 000004
【図３】
2015018334.tif 000005
【図４】
2015018334.tif 000006
【図５】
2015018334.tif 000007
【図６】
2015018334.tif 000008